(57)【特許請求の範囲】
【請求項１】
複数のＷＳＯＮ（Wavelength Switched Optical Network）非対応通信装置の配置領域である非ＷＳＯＮドメインと、複数のＷＳＯＮ対応通信装置の配置領域であるＷＳＯＮドメインとから構成されるネットワークにおけるパス設定方法であって、
前記非ＷＳＯＮドメイン内の前記ＷＳＯＮ非対応通信装置である始点ＧＭＰＬＳ（Generalized Multi-Protocol Label Switching）ノードから、前記ＷＳＯＮドメインを経由して前記非ＷＳＯＮドメイン内の前記ＷＳＯＮ非対応通信装置である終点ＧＭＰＬＳノードまで、パスを設定する際に、
前記始点ＧＭＰＬＳノードは、シグナリングメッセージを発信し、
当該シグナリングメッセージが、転送されて、前記パス上の最初の前記ＷＳＯＮ対応通信装置である始点側ＷＳＯＮボーダーノードに到着したとき、当該始点側ＷＳＯＮボーダーノードは、当該シグナリングメッセージに前記ＷＳＯＮドメイン内での前記シグナリングメッセージの送受信に必要なＷＳＯＮ用情報要素を付加し、前記ＷＳＯＮ対応通信装置同士は、当該ＷＳＯＮ用情報要素の付加されたシグナリングメッセージの送受信を行い、
当該ＷＳＯＮ用情報要素の付加されたシグナリングメッセージが、前記パス上の最後の前記ＷＳＯＮ対応通信装置である終点側ＷＳＯＮボーダーノードに到着したとき、前記終点側ＷＳＯＮボーダーノードは、当該ＷＳＯＮ用情報要素の付加されたシグナリングメッセージから前記ＷＳＯＮ用情報要素を除去し、当該ＷＳＯＮ用情報要素の除去されたシグナリングメッセージを前記パス上の次の前記ＷＳＯＮ非対応通信装置に送信する
ことを特徴とするパス設定方法。
【請求項２】
複数のＷＳＯＮ（Wavelength Switched Optical Network）非対応通信装置の配置領域である非ＷＳＯＮドメインと、複数のＷＳＯＮ対応通信装置の配置領域であるＷＳＯＮドメインとから構成されるネットワークにおけるパス設定方法であって、
前記非ＷＳＯＮドメイン内の前記ＷＳＯＮ非対応通信装置である始点ＧＭＰＬＳ（Generalized Multi-Protocol Label Switching）ノードから、前記ＷＳＯＮドメインを経由して前記非ＷＳＯＮドメイン内の前記ＷＳＯＮ非対応通信装置である終点ＧＭＰＬＳノードまで、パスを設定する際に、
前記始点ＧＭＰＬＳノードは、シグナリングメッセージを発信し、
当該シグナリングメッセージが、転送されて、前記パス上の最初の前記ＷＳＯＮ対応通信装置である始点側ＷＳＯＮボーダーノードに到着したとき、当該始点側ＷＳＯＮボーダーノードは、当該シグナリングメッセージに前記ＷＳＯＮドメイン内での前記シグナリングメッセージの送受信に必要なＷＳＯＮ用情報要素を付加し、
当該ＷＳＯＮ用情報要素の付加されたシグナリングメッセージが、転送されて、前記終点ＧＭＰＬＳノードに到着したとき、前記終点ＧＭＰＬＳノードは、受け取った当該シグナリングメッセージにおける前記ＷＳＯＮ用情報要素を無視する
ことを特徴とするパス設定方法。
【請求項３】
前記始点ＧＭＰＬＳノードは、前記非ＷＳＯＮドメイン内および前記ＷＳＯＮドメイン内のトポロジ情報を予め把握しており、前記シグナリングメッセージを発信する際に、前記把握しているトポロジ情報を基にして前記非ＷＳＯＮドメイン内および前記ＷＳＯＮドメイン内の前記パスに対応する経路の少なくとも一部を計算し、当該計算した経路の情報を前記シグナリングメッセージに付加してから発信する
ことを特徴とする請求項１または請求項２に記載のパス設定方法。
【請求項４】
前記始点ＧＭＰＬＳノードは、前記計算した経路の情報を前記シグナリングメッセージに付加する際に、設定する前記パスの終点の情報をシグナリングメッセージに付加する
ことを特徴とする請求項３に記載のパス設定方法。
【請求項５】
前記始点ＧＭＰＬＳノードは、前記計算した経路の情報を前記シグナリングメッセージに付加する際に、設定する前記パスにおいて経由する前記ＷＳＯＮドメインにおける境界ノードである前記始点側ＷＳＯＮボーダーノードと前記終点側ＷＳＯＮボーダーノードの情報を前記シグナリングメッセージに付加する
ことを特徴とする請求項３に記載のパス設定方法。
【請求項６】
前記始点ＧＭＰＬＳノードは、前記計算した経路の情報を前記シグナリングメッセージに付加する際に、設定する前記パスが最短となる経路上に位置するノードの情報を前記シグナリングメッセージに付加する
ことを特徴とする請求項３に記載のパス設定方法。
【請求項７】
前記シグナリングメッセージが、転送されて、前記始点側ＷＳＯＮボーダーノードに到着したとき、
前記始点側ＷＳＯＮボーダーノードは、前記ＷＳＯＮドメイン内の経路を計算して、前記ＷＳＯＮドメイン内でのパス設定に必要な網資源が確保できる経路を見つける
ことを特徴とする請求項１または請求項２に記載のパス設定方法。
【請求項８】
前記始点側ＷＳＯＮボーダーノードは、前記ＷＳＯＮドメイン内の経路を計算して、前記ＷＳＯＮドメイン内でのパス設定に必要な網資源が確保できる経路を見つけるとき、
前記始点ＧＭＰＬＳノードが前記パスに対応する経路の少なくとも一部を指定していた場合には、当該指定された経路を経由することを優先して、前記ＷＳＯＮドメイン内で利用可能な波長と経路を同時に計算する
ことを特徴とする請求項７に記載のパス設定方法。
【請求項９】
前記ネットワークにおいて、少なくとも前記ＷＳＯＮ非対応通信装置および前記ＷＳＯＮ対応通信装置のいずれかに接続され、接続された前記ＷＳＯＮ非対応通信装置および／または前記ＷＳＯＮ対応通信装置に代わって、請求項１から請求項８のいずれか一項に記載のパス設定方法における処理の少なくとも一部を実行することを特徴とするパス設定装置。
【発明の詳細な説明】
【技術分野】
【０００１】
本発明は、ＷＳＯＮ（Wavelength Switched Optical Network）対応通信装置とＷＳＯＮ非対応通信装置とが混在するネットワークにおいて、ＷＳＯＮ非対応通信装置に、ＷＳＯＮ用情報要素（ＷＳＯＮ技術の導入に伴って必要となる情報要素。波長情報など）を扱うための機能を追加することなく、パス（光パス）を設定するための技術に関する。
【背景技術】
【０００２】
近年、高速大容量伝送を可能とするＷＳＯＮが注目されている。しかし、通信装置に関するＷＳＯＮ対応化はまだ充分に進んでいない。例えば、ＲＯＡＤＭ（Reconfigurable Optical Add/Drop Multiplexer）装置や光クロスコネクト装置（ＯＸＣ（optical cross-connect））などでは少しずつＷＳＯＮ対応の装置が登場しているが、市販のＩＰ（Internet Protocol）ルータではＷＳＯＮ対応がほとんど進んでいない。
【０００３】
なお、ＷＳＯＮ対応とは、例えば、dynamic wavelength TLV（Type/Length/Value）（非特許文献１参照）やlambda label（非特許文献２参照）を、ＧＭＰＬＳ（Generalized Multi-Protocol Label Switching）ルーティングプロトコル（例えば、ＯＳＰＦ（Open Shortest Path First）−ＴＥ（Traffic Engineering））で広告したり、ＧＭＰＬＳシグナリングプロトコル（例えば、ＲＳＶＰ（Resource reSerVation Protocol）−ＴＥ（Traffic Engineering））で伝達したりすることである。
【先行技術文献】
【非特許文献】
【０００４】
【非特許文献１】G. Bernstein, et al., “General Network Element Constraint Encoding for GMPLS Controlled Networks”, draft-ietf-ccamp-general-constraint-encode-04.txt, June 2011.
【非特許文献２】T. Otani, et al., “Generalized Labels for Lambda-Switch-Capable Label Switching Routers”, IETF, RFC6205, March 2011.
【発明の概要】
【発明が解決しようとする課題】
【０００５】
既存のＩＰルータなどのＷＳＯＮ非対応通信装置では、ＧＭＰＬＳプロトコルにＷＳＯＮ拡張機能が追加されると、ＷＳＯＮに接続して光パスを設定することができなくなるという問題がある。
【０００６】
そこで、本発明は、前記問題を解決するためになされたものであり、ＷＳＯＮ非対応通信装置とＷＳＯＮ対応通信装置が混在するネットワークにおいて、ＷＳＯＮ非対応通信装置に、ＷＳＯＮ用情報要素を扱うための機能を追加することなく、光パスを設定することを課題とする。
【課題を解決するための手段】
【０００７】
前記した課題を解決するために、本発明は、複数のＷＳＯＮ非対応通信装置の配置領域である非ＷＳＯＮドメインと、複数のＷＳＯＮ対応通信装置の配置領域であるＷＳＯＮドメインとから構成されるネットワークにおけるパス設定方法であって、前記非ＷＳＯＮドメイン内の前記ＷＳＯＮ非対応通信装置である始点ＧＭＰＬＳノードから、前記ＷＳＯＮドメインを経由して前記非ＷＳＯＮドメイン内の前記ＷＳＯＮ非対応通信装置である終点ＧＭＰＬＳノードまで、パスを設定する際に、前記始点ＧＭＰＬＳノードは、シグナリングメッセージを発信し、当該シグナリングメッセージが、転送されて、前記パス上の最初の前記ＷＳＯＮ対応通信装置である始点側ＷＳＯＮボーダーノードに到着したとき、当該始点側ＷＳＯＮボーダーノードは、当該シグナリングメッセージに前記ＷＳＯＮドメイン内での前記シグナリングメッセージの送受信に必要なＷＳＯＮ用情報要素を付加し、前記ＷＳＯＮ対応通信装置同士は、当該ＷＳＯＮ用情報要素の付加されたシグナリングメッセージの送受信を行い、当該ＷＳＯＮ用情報要素の付加されたシグナリングメッセージが、前記パス上の最後の前記ＷＳＯＮ対応通信装置である終点側ＷＳＯＮボーダーノードに到着したとき、前記終点側ＷＳＯＮボーダーノードは、当該ＷＳＯＮ用情報要素の付加されたシグナリングメッセージから前記ＷＳＯＮ用情報要素を除去し、当該ＷＳＯＮ用情報要素の除去されたシグナリングメッセージを前記パス上の次の前記ＷＳＯＮ非対応通信装置に送信することを特徴とする。
【０００８】
このように、転送するシグナリングメッセージに対してＷＳＯＮ用情報要素を適宜、付加、除去することで、ＷＳＯＮ非対応通信装置とＷＳＯＮ対応通信装置が混在するネットワークにおいて、ＷＳＯＮ非対応通信装置に、ＷＳＯＮ用情報要素を扱うための機能を追加することなく、光パスを設定することができる。
【０００９】
また、本発明は、複数のＷＳＯＮ非対応通信装置の配置領域である非ＷＳＯＮドメインと、複数のＷＳＯＮ対応通信装置の配置領域であるＷＳＯＮドメインとから構成されるネットワークにおけるパス設定方法であって、前記非ＷＳＯＮドメイン内の前記ＷＳＯＮ非対応通信装置である始点ＧＭＰＬＳノードから、前記ＷＳＯＮドメインを経由して前記非ＷＳＯＮドメイン内の前記ＷＳＯＮ非対応通信装置である終点ＧＭＰＬＳノードまで、パスを設定する際に、前記始点ＧＭＰＬＳノードは、シグナリングメッセージを発信し、当該シグナリングメッセージが、転送されて、前記パス上の最初の前記ＷＳＯＮ対応通信装置である始点側ＷＳＯＮボーダーノードに到着したとき、当該始点側ＷＳＯＮボーダーノードは、当該シグナリングメッセージに前記ＷＳＯＮドメイン内での前記シグナリングメッセージの送受信に必要なＷＳＯＮ用情報要素を付加し、当該ＷＳＯＮ用情報要素の付加されたシグナリングメッセージが、転送されて、前記終点ＧＭＰＬＳノードに到着したとき、前記終点ＧＭＰＬＳノードは、受け取った当該シグナリングメッセージにおける前記ＷＳＯＮ用情報要素を無視することを特徴とする。
【００１０】
このようにすることで、非ＷＳＯＮドメインへシグナリングメッセージを送るＷＳＯＮ対応通信装置は、ＷＳＯＮ用情報要素を除去する必要がないので、処理負担が軽く済む。
【００１１】
また、本発明は、前記始点ＧＭＰＬＳノードが、前記非ＷＳＯＮドメイン内および前記ＷＳＯＮドメイン内のトポロジ情報を予め把握しており、前記シグナリングメッセージを発信する際に、前記把握しているトポロジ情報を基にして前記非ＷＳＯＮドメイン内および前記ＷＳＯＮドメイン内の前記パスに対応する経路の少なくとも一部を計算し、当該計算した経路の情報を前記シグナリングメッセージに付加してから発信することを特徴とする。
【００１２】
このように、ＷＳＯＮ技術の導入と関係なく、始点ＧＭＰＬＳノードがトポロジ情報を基にしてパスの経路を計算してシグナリングプロトコルに該情報を載せて送信する、という従来通りのメカニズムをそのまま使用することが可能となるので、ＷＳＯＮドメイン／非ＷＳＯＮドメインをまたがるパスの設定を行うことができる。
【００１３】
また、本発明は、前記始点ＧＭＰＬＳノードが、前記計算した経路の情報を前記シグナリングメッセージに付加する際に、設定する前記パスの終点の情報をシグナリングメッセージに付加することを特徴とする。
【００１４】
このようにすることで、始点側ＷＳＯＮボーダーノードが、設定するパスの終点の情報に基づいてＷＳＯＮドメイン内の経路とその経路上で使用可能な波長を同時に探すことができ、使用可能な波長を簡単に見つけることが可能となる。
【００１５】
また、本発明は、前記始点ＧＭＰＬＳノードが、前記計算した経路の情報を前記シグナリングメッセージに付加する際に、設定する前記パスにおいて経由する前記ＷＳＯＮドメインにおける境界ノードである前記始点側ＷＳＯＮボーダーノードと前記終点側ＷＳＯＮボーダーノードの情報を前記シグナリングメッセージに付加することを特徴とする。
【００１６】
このようにすることで、途中のノードがパス上のＷＳＯＮドメインにおける境界ノードを計算する処理負荷をなくすことが可能となる。
【００１７】
また、本発明は、前記始点ＧＭＰＬＳノードが、前記計算した経路の情報を前記シグナリングメッセージに付加する際に、設定する前記パスが最短となる経路上に位置するノードの情報を前記シグナリングメッセージに付加することを特徴とする。
【００１８】
このようにすることで、限られた網リソース（ネットワークの資源）を効率的に利用することが可能となる。
【００１９】
また、本発明は、前記シグナリングメッセージが、転送されて、前記始点側ＷＳＯＮボーダーノードに到着したとき、前記始点側ＷＳＯＮボーダーノードが、前記ＷＳＯＮドメイン内の経路を計算して、前記ＷＳＯＮドメイン内でのパス設定に必要な網資源が確保できる経路を見つけることを特徴とする。
【００２０】
このようにすることで、始点ＧＭＰＬＳノードが指定した経路上に使用可能な波長がなかった場合でも、始点側ＷＳＯＮボーダーノードがＷＳＯＮドメイン内で使用可能な別の経路を見つけることが可能となる。
【００２１】
また、本発明は、前記始点側ＷＳＯＮボーダーノードが、前記ＷＳＯＮドメイン内の経路を計算して、前記ＷＳＯＮドメイン内でのパス設定に必要な網資源が確保できる経路を見つけるとき、前記始点ＧＭＰＬＳノードが前記パスに対応する経路の少なくとも一部を指定していた場合には、当該指定された経路を経由することを優先して、前記ＷＳＯＮドメイン内で利用可能な波長と経路を同時に計算することを特徴とする。
【００２２】
このように、始点ＧＭＰＬＳノードによって指定された経路を優先して、ＷＳＯＮドメイン内で利用可能な波長と経路を同時に計算することで、当該指定を反映することができる。
【００２３】
また、本発明は、前記ネットワークにおいて、少なくとも前記ＷＳＯＮ非対応通信装置および前記ＷＳＯＮ対応通信装置のいずれかに接続され、接続された前記ＷＳＯＮ非対応通信装置および／または前記ＷＳＯＮ対応通信装置に代わって、前記したいずれかのパス設定方法における処理の少なくとも一部を実行することを特徴とするパス設定装置である。
【００２４】
このように、ＷＳＯＮ非対応通信装置、ＷＳＯＮ対応通信装置に代わってパス設定装置がパス設定方法における処理の少なくとも一部を実行することで、ＷＳＯＮ非対応通信装置、ＷＳＯＮ対応通信装置の処理負担を軽減することができる。
【発明の効果】
【００２５】
本発明によれば、ＷＳＯＮ非対応通信装置とＷＳＯＮ対応通信装置が混在するネットワークにおいて、ＷＳＯＮ非対応通信装置に、ＷＳＯＮ用情報要素を扱うための機能を追加することなく、光パスを設定することができる。
【図面の簡単な説明】
【００２６】
【図１】本実施形態のネットワークの全体構成図である。
【図２】（ａ）はＷＳＯＮ非対応通信装置のブロック構成図であり、（ｂ）はＷＳＯＮ対応通信装置のブロック構成図である。
【図３】ネットワークにおける各装置の処理の流れを示すフローチャートである。
【図４】専用計算装置を追加したネットワークの全体構成図である。
【発明を実施するための形態】
【００２７】
以下、本発明を実施するための形態（以下、「実施形態」と称する。）について、図面を参照（言及図以外の図も適宜参照）しながら説明する。まず、パス設定方法を実行する装置が動作するネットワークの構成について、図１を用いて説明する。ネットワーク１は、非ＷＳＯＮ２０００（非ＷＳＯＮドメイン）とＷＳＯＮ３０００（ＷＳＯＮドメイン）から構成される。
【００２８】
非ＷＳＯＮ２０００は、複数のＷＳＯＮ非対応通信装置２（２Ａ、２Ｂ、２Ｃ、２Ｄ）を含んで構成される。ＷＳＯＮ非対応通信装置２は、例えば、ＧＭＰＬＳノードとしてのＩＰルータ、ＲＯＡＤＭ装置、光クロスコネクト装置などである。
【００２９】
ＷＳＯＮ３０００は、複数のＷＳＯＮ対応通信装置３（３Ａ、３Ｂ、３Ｃ、３Ｄ）を含んで構成される。ＷＳＯＮ対応通信装置３は、例えば、ＷＳＯＮ技術に対応したＩＰルータ、ＲＯＡＤＭ装置、光クロスコネクト装置などである。
【００３０】
なお、各ＷＳＯＮ非対応通信装置２、各ＷＳＯＮ対応通信装置３の接続関係が図１に示されているが、例えば、ＷＳＯＮ非対応通信装置２ＡとＷＳＯＮ対応通信装置３Ａの間にＷＳＯＮ非対応通信装置２（不図示）が１つ以上あってもよいなど、図示しない他の通信装置（ＷＳＯＮ非対応通信装置２とＷＳＯＮ対応通信装置３の総称。以下同様）が存在していてもよい。
【００３１】
次に、ＷＳＯＮ非対応通信装置２およびＷＳＯＮ対応通信装置３の構成と機能について、図２を用いて説明する。
図２（ａ）に示すように、ＷＳＯＮ非対応通信装置２は、外部通信部２１、経路制御部２２、プロトコル部２３、データ転送部２４、記憶部２５、入出力インターフェース２６、データ入力インターフェース２７、および、データ出力インターフェース２８を備えて構成され、それらがＣＰＵ（Central Processing Unit）、ＲＡＭ（Random Access Memory）、ＲＯＭ（Read Only Memory）、ＨＤＤ（Hard Disk Drive）、各種インターフェース等によって実現される。
【００３２】
外部通信部２１は、自身のＷＳＯＮ非対応通信装置２と隣接する通信装置から受け取った情報を、自身のＷＳＯＮ非対応通信装置２内の適切な機能（経路制御部２２など）に渡したり、運用者からの入力を受け付ける役割を果たしたりする。
【００３３】
経路制御部２２は、自身のＷＳＯＮ非対応通信装置２への設定内容や受け取ったシグナリングプロトコルの情報に基づき、設定すべきパスの経路や波長を計算する。例えば、パスの始点となるＷＳＯＮ非対応通信装置２の場合、経路制御部２２は、運用者の設定に従ってパスの経路を計算する。
【００３４】
プロトコル部２３は、適切なプロトコルを用いてネットワーク１中の他の通信装置と情報交換を行う際に、適切なプロトコルメッセージの送受信を行う。プロトコルの例としては、ＯＳＰＦ−ＴＥ、ＲＳＶＰ−ＴＥなどがある。また、交換される情報例としては、ネットワークトポロジ情報や設定しようとするパスに関する情報などがある。また、プロトコル部２３は、必要に応じて、シグナリングプロトコルやルーティングプロトコルなどで受け取ったメッセージに含まれるＷＳＯＮ用情報要素を無視する。なお、本明細書および特許請求の範囲において「無視する」とは、「その情報を使用せずに、他の処理を進める」という意味であり、その際、エラーメッセージの表示や外部出力は、行っても行わなくてもいずれでもよい。
【００３５】
データ転送部２４は、経路制御部２２からの指示に従って、データ入力インターフェース２７から入力したデータを、適切なデータ出力インターフェース２８から出力させる。
【００３６】
記憶部２５は、データベース２５１を備える。データベース２５１は、自身のＷＳＯＮ非対応通信装置２がデータのルーティングやスイッチングを行うために必要なネットワーク情報を保持する。情報例としては、ネットワーク１のトポロジ情報などがある。
【００３７】
入出力インターフェース２６は、運用者などのユーザがＷＳＯＮ非対応通信装置２へ設定を入力する際や、何らかのプロトコルを用いて隣接する通信装置と情報の送受信を行う場合などに使用されるインターフェースである。
【００３８】
データ入力インターフェース２７は、自身のＷＳＯＮ非対応通信装置２を通過するデータの入力を受付けるインターフェースである。
データ出力インターフェース２８は、データ入力インターフェース２７で受付けたデータを出力するインターフェースである。
【００３９】
次に、図２（ｂ）を参照して、ＷＳＯＮ対応通信装置３の構成と機能について説明する。ＷＳＯＮ対応通信装置３における各構成は、図２（ａ）に示すＷＳＯＮ非対応通信装置２における各構成と同じであるので、説明を省略する（各符号の最上位桁の数字が「２」から「３」に変わっている）。ただし、一部の構成の機能が異なるので、それについて説明する。
【００４０】
なお、以下において、非ＷＳＯＮ２０００内のＷＳＯＮ非対応通信装置２Ａを始点とし、ＷＳＯＮ３０００を経由して非ＷＳＯＮ２０００内のＷＳＯＮ非対応通信装置２Ｂを終点とするパス（光パス）を設定する場合を例にとって説明する。その際、ＷＳＯＮ対応通信装置３Ａが始点側ＷＳＯＮボーダーノードとなり、ＷＳＯＮ対応通信装置３Ｂが終点側ＷＳＯＮボーダーノードとなる。
【００４１】
ＷＳＯＮ対応通信装置３が始点側ＷＳＯＮボーダーノードの場合、経路制御部３２は、受け取ったシグナリングプロトコルに付加されているパス情報を基に、波長や、必要に応じて経路を計算する。
プロトコル部３３は、必要に応じてＷＳＯＮ用情報要素（波長情報等）の追加や除去を行う。
【００４２】
次に、ネットワーク１においてパスを設定する処理の例について、図３を用いて説明する。なお、前記したように、ＷＳＯＮ非対応通信装置２ＡからＷＳＯＮ非対応通信装置２Ｂまでパスを設定する場合を例にとって説明する。
【００４３】
まず、前提として、ＷＳＯＮ非対応通信装置２やＷＳＯＮ対応通信装置３は、ルーティング情報を、ＯＳＰＦ−ＴＥなどのルーティングプロトコルを用いて広告する。このとき、ＷＳＯＮ非対応通信装置２は、ＷＳＯＮ用情報要素（波長情報等）を広告しない。一方、ＷＳＯＮ対応通信装置３は、ＷＳＯＮ用情報要素（波長情報等）を広告する場合もある。広告はマルチキャストされるため、ＷＳＯＮ非対応通信装置２は、ＷＳＯＮ用情報要素（波長情報等）を含んだ広告を受け取るかもしれないが、その場合は、ＷＳＯＮ用情報要素（波長情報等）を無視すればよい。
【００４４】
ＷＳＯＮ非対応通信装置２Ａにおいて、プロトコル部２３は、広告によるパス設定要求があったか否かを判断し（ステップＳ１）、パス設定要求がない場合（Ｎｏ）、ステップＳ１に戻り、パス設定要求があった場合（Ｙｅｓ）、経路制御部２２は、収集したルーティング情報を基にパスの経路を明示的または大まかに計算する（ステップＳ２）。計算にはＣＳＰＦ（constraint shortest path fast）アルゴリズムなどを利用できる。
【００４５】
次に、ＷＳＯＮ非対応通信装置２Ａにおいて、プロトコル部２３は、ＲＳＶＰ−ＴＥなどのシグナリングプロトコルに経路情報などを付加して、パス上の隣接ノード（ＷＳＯＮ非対応通信装置２ＡとＷＳＯＮ対応通信装置３Ａの間のＷＳＯＮ非対応通信装置２（不図示））にシグナリングメッセージ（波長情報なし）を送信する（ステップＳ３）。当該不図示のＷＳＯＮ非対応通信装置２は、シグナリングメッセージ（波長情報なし）を転送する。
【００４６】
始点側ＷＳＯＮボーダーノードであるＷＳＯＮ対応通信装置３Ａは、転送されてきたシグナリングメッセージ（波長情報なし）を受け取ると、ＷＳＯＮ３０００内で使用する波長を計算する（ステップＳ４）。なお、ＷＳＯＮ非対応通信装置２ＡがＷＳＯＮ３０００内での経路を指定していた場合には、その経路上で使用可能な波長を計算し、そのような指定がなかった場合や指定された経路上に使用可能な波長がなかった場合には、経路と使用可能な波長の両方を計算する。つまり、ＷＳＯＮ対応通信装置３Ａは、ＷＳＯＮ３０００内でのパス設定に必要な網資源（波長、経路）が確保できる経路を見つける。計算にはＲＷＡ（routing and wavelength assignment）アルゴリズムなどを利用できる。
【００４７】
ＷＳＯＮ対応通信装置３Ａは、計算した波長情報と、必要に応じて経路情報を、シグナリングメッセージに付加して、パス上の隣接ノード（ＷＳＯＮ対応通信装置３ＡとＷＳＯＮ対応通信装置３Ｂの間のＷＳＯＮ対応通信装置３（不図示））にシグナリングメッセージ（波長情報あり）を送信する（ステップＳ５）。当該不図示のＷＳＯＮ対応通信装置３は、シグナリングメッセージ（波長情報あり）を転送する。
【００４８】
終点側ＷＳＯＮボーダーノードであるＷＳＯＮ対応通信装置３Ｂは、転送されてきたシグナリングメッセージ（波長情報あり）を受け取ると、そのシグナリングメッセージ（波長情報あり）から波長情報を除去して（ステップＳ６）、ＷＳＯＮ３０００の外のノード（ＷＳＯＮ対応通信装置３ＢとＷＳＯＮ非対応通信装置２Ｂの間のＷＳＯＮ非対応通信装置２（不図示））にシグナリングメッセージ（波長情報なし）を送信する（ステップＳ７）。当該不図示のＷＳＯＮ対応通信装置３は、シグナリングメッセージ（波長情報あり）を転送する。
【００４９】
そして、パスの終点ノードであるＷＳＯＮ非対応通信装置２Ｂは、転送されてきたシグナリングメッセージ（波長情報なし）を受け取ると、リプライのシグナリングメッセージ（波長情報なし）を逆方向に送信する（ステップＳ８）。そのシグナリングメッセージ（波長情報なし）は、ステップＳ３〜Ｓ７と同様の処理によって、各通信装置間で転送され、ＷＳＯＮ非対応通信装置２Ａに到着する。
【００５０】
シグナリングメッセージ（波長情報なし）を受け取ったＷＳＯＮ非対応通信装置２Ａは、パス設定処理を行い（ステップＳ９）、処理を終了する。
【００５１】
このようにして、転送するシグナリングメッセージに対してＷＳＯＮ用情報要素（波長情報等）を適宜、付加、除去することで、ＷＳＯＮ非対応通信装置２とＷＳＯＮ対応通信装置３が混在するネットワーク１において、ＷＳＯＮ非対応通信装置２に、ＷＳＯＮ用情報要素（波長情報等）を扱うための機能を追加することなく、光パスを設定することができる。つまり、ＷＳＯＮ技術をコア網に容易に導入することができる。
【００５２】
また、ＷＳＯＮ技術の導入と関係なく、始点ＧＭＰＬＳノードであるＷＳＯＮ非対応通信装置２Ａがトポロジ情報を基にしてパスの経路を計算してシグナリングプロトコルに該情報を載せて送信する、という従来通りのメカニズムをそのまま使用することが可能となるので、非ＷＳＯＮ２０００とＷＳＯＮ３０００をまたがる光パスの設定を行うことができる。
【００５３】
また、始点側ＷＳＯＮボーダーノードであるＷＳＯＮ対応通信装置３Ａは、設定するパスの終点の情報に基づいてＷＳＯＮ３０００内の経路とその経路上で使用可能な波長を同時に探すことができ、使用可能な波長を簡単に見つけることが可能となる。
【００５４】
また、始点ＧＭＰＬＳノードであるＷＳＯＮ非対応通信装置２Ａが、設定するパスにおいて経由するＷＳＯＮ３０００における境界ノードであるＷＳＯＮ対応通信装置３ＡとＷＳＯＮ対応通信装置３Ｂとの情報をシグナリングメッセージに付加することで、途中のノードがパス上のＷＳＯＮ３０００における境界ノードを計算する処理負荷をなくすことが可能となる。
【００５５】
また、始点ＧＭＰＬＳノードであるＷＳＯＮ非対応通信装置２Ａが、設定するパスが最短となる経路上に位置するノードの情報をシグナリングメッセージに付加するようにすれば、限られた網リソース（ネットワーク１の資源）を効率的に利用することが可能となる。
【００５６】
また、始点側ＷＳＯＮボーダーノードであるＷＳＯＮ対応通信装置３ＡがＷＳＯＮ３０００内の経路を計算してＷＳＯＮ３０００内でのパス設定に必要な網資源が確保できる経路を見つけることで、始点ＧＭＰＬＳノードであるＷＳＯＮ非対応通信装置２Ａが指定した経路上に使用可能な波長がなかった場合でも、使用可能な別の経路を見つけることが可能となる。
【００５７】
また、始点ＧＭＰＬＳノードであるＷＳＯＮ非対応通信装置２Ａがパスに対応する経路の少なくとも一部を指定していた場合に、ＷＳＯＮ対応通信装置３Ａは、当該指定された経路を経由することを優先してＷＳＯＮ３０００ドメイン内で利用可能な波長と経路を同時に計算することで、当該指定を反映することができる。
【００５８】
（変形例）
前記した実施形態では、ＷＳＯＮ非対応通信装置２やＷＳＯＮ対応通信装置３が経路や波長の計算を行っていた。以下では、変形例として、経路や波長の計算を、ネットワーク１内に存在する専用計算装置に任せる場合について説明する。
【００５９】
この場合、図４に示すように、ＷＳＯＮ非対応通信装置２やＷＳＯＮ対応通信装置３と接続される専用計算装置４が設けられる。専用計算装置４は、ＷＳＯＮ非対応通信装置２やＷＳＯＮ対応通信装置３に代わって、経路や波長の計算を行う。なお、計算のリクエストは、パスの始点ノード（ＷＳＯＮ非対応通信装置２Ａ）が行ってもよいし、始点側ＷＳＯＮボーダーノード（ＷＳＯＮ対応通信装置３Ａ）が行ってもよい。また、専用計算装置４は、計算のための情報を、ＯＳＰＦなどのプロトコルで収集してもいいし、運用者によって手動で入力されたものから得てもよい。そして、この変形例では、前記した実施形態と同様のパス設定方法を実現することができる。
【００６０】
これにより、ＷＳＯＮ非対応通信装置２、ＷＳＯＮ対応通信装置３に代わって専用計算装置４がパス設定方法における処理の少なくとも一部を実行することで、ＷＳＯＮ非対応通信装置２、ＷＳＯＮ対応通信装置３の処理負担を軽減することができる。
【００６１】
以上で本実施形態の説明を終えるが、本発明の態様はこれらに限定されるものではない。
例えば、図３のステップＳ６でシグナリングメッセージ（波長情報あり）から波長情報を除去する代わりに、シグナリングメッセージ（波長情報あり）を受け取ったＷＳＯＮ非対応通信装置２Ｂが波長情報を無視するようにしてもよい。そうすれば、ＷＳＯＮ対応通信装置３Ｂは、波長情報を除去する必要がないので、処理負担が軽く済む。
その他、各装置の構成や処理の具体的な内容について、本発明の主旨を逸脱しない範囲で適宜変更が可能である。
【符号の説明】
【００６２】
１、１ａ  ネットワーク
２、２Ａ、２Ｂ、２Ｃ、２Ｄ  ＷＳＯＮ非対応通信装置
３、３Ａ、３Ｂ、３Ｃ、３Ｄ  ＷＳＯＮ対応通信装置
４      専用計算装置
２１、３１  外部通信部
２２、３２  経路制御部
２３、３３  プロトコル部
２４、３４  データ転送部
２５、３５  記憶部
２６、３６  入出力インターフェース
２７、３７  データ入力インターフェース
２８、３８  データ出力インターフェース
２５１、３５１  データベース
２０００  非ＷＳＯＮ
３０００  ＷＳＯＮ
【図１】
0005486553.tif 000002
【図２】
0005486553.tif 000003
【図３】
0005486553.tif 000004
【図４】
0005486553.tif 000005